(57)【要約】      （修正有）【課題】人工毛の吐出量を調整可能な人工毛収容容器を提供する。【解決手段】人工毛収容容器５０は、容器本体部３２内の人工毛を吐出する複数の吐出孔３４ａを備え容器本体部に固定した第１内蓋部３６ａと、複数の吐出孔３４ｂを備え、第１内蓋部の上面に設置され第１内蓋部に対し同心で回転する第２内蓋部３６ｂと、を有し、第２内蓋部を回転し、ストッパ部が所定の開口率の位置で第２内蓋部を保持することで、開口率を段階的に変化させ、使用部位等に応じて人工毛の吐出量を適宜選択することができる。また、選択位置での吐出量を表示窓を通して表示することができ、使用者は、人工毛の吐出量を的確に把握することができる。【選択図】図１
0003192439.tif 000002
【実用新案登録請求の範囲】
【請求項１】
短繊維状の人工毛を収容する容器本体部と、前記容器本体部の口部に装着される内蓋部と、を有する人工毛収容容器において、
前記内蓋部が、
前記容器本体部内の人工毛を吐出する複数の吐出孔を備え前記容器本体部に対して固定した第１内蓋部と、
複数の吐出孔を備えるとともに前記第１内蓋部の上面に設置され、さらに前記第１内蓋部に対し同心で回転する第２内蓋部と、を有し、
前記第２内蓋部が回転することで前記口部に対する開口率が変化することを特徴とする人工毛収容容器。
【請求項２】
所定の開口率となる複数の位置に第２内蓋部を保持するストッパ部を設けたことを特徴とする請求項１記載の人工毛収容容器。
【請求項３】
第１内蓋部側に複数の吐出量表示が設けられるとともに、第２内蓋部が表示窓を有し、ストッパ部が前記第２内蓋部を保持したときに、その保持位置での口部の開口率と対応した前記吐出量表示が前記表示窓を通して露出することを特徴とする請求項２記載の人工毛収容容器。
【考案の詳細な説明】
【技術分野】
【０００１】
本考案は、内容物である人工毛の吐出量を調整することが可能な人工毛収容容器に関するものである。
【背景技術】
【０００２】
短繊維状の人工毛髪を使用者の薄毛部分に散布し、これを接着固定することで散布部分の薄毛を目立たなくする製品が商品化されている。そして、これら人工毛髪は通常、所定の容器内に収容され、この容器の口部に装着された内蓋の吐出孔を通して薄毛部分に散布される。しかしながら、薄毛の程度や範囲には個人差があり、画一的な開口率の内蓋ではこれら個人差への対応が困難であった。例えば、内蓋の開口率が大きい場合、薄毛の程度が軽い使用者へは人工毛髪の吐出量が過剰となり、反対に開口率が小さい場合、薄毛の範囲が広い使用者にとっては人工毛の散布に時間を要するという問題点があった。この問題点に対し、本願考案者らは下記［特許文献１］に記載の容器を考案した。この［特許文献１］に記載の容器は、蓋の封止フィルムに同心円状で半径の異なる複数の切目を設け、使用者が剥離する切目を選ぶことで蓋の開封領域の大きさを選択可能としている。これにより、使用者は容器の吐出量を自分に適したものとすることができる
【先行技術文献】
【特許文献】
【０００３】
【特許文献１】実用新案登録第３１０７４４５号公報
【考案の概要】
【考案が解決しようとする課題】
【０００４】
上記の［特許文献１］に記載の考案によって、薄毛の個人差に対し、ある程度の対応が可能となった。しかしながら、散布量をその都度変化させたいという要望があり、この点で更なる改善が望まれる。
【０００５】
本考案は上記事情に鑑みてなされたものであり、人工毛の吐出量を調整可能な人工毛収容容器を提供することを目的とする。
【課題を解決するための手段】
【０００６】
本考案は、
（１）短繊維状の人工毛を収容する容器本体部３２と、前記容器本体部３２の口部３０に装着される内蓋部３６と、を有する人工毛収容容器５０において、
前記内蓋部３６が、前記容器本体部３２内の人工毛を吐出する複数の吐出孔３４ａを備え前記容器本体部３２に対して固定した第１内蓋部３６ａと、
複数の吐出孔３４ｂを備えるとともに前記第１内蓋部３６ａの上面に設置され、さらに前記第１内蓋部３６ａに対し同心で回転する第２内蓋部３６ｂと、を有し、
前記第２内蓋部３６ｂが回転することで前記口部３０に対する開口率が変化することを特徴とする人工毛収容容器５０を提供することにより、上記課題を解決する。
（２）所定の開口率となる複数の位置に第２内蓋部３６ｂを保持するストッパ部を設けたことを特徴とする上記（１）記載の人工毛収容容器５０を提供することにより、上記課題を解決する。
（３）第１内蓋部３６ａ側に複数の吐出量表示４６が設けられるとともに、第２内蓋部３６ｂが表示窓４９を有し、ストッパ部が前記第２内蓋部３６ｂを保持したときに、その保持位置での口部３０の開口率と対応した前記吐出量表示４６が前記表示窓４９を通して露出することを特徴とする上記（２）記載の人工毛収容容器５０を提供することにより、上記課題を解決する。
【考案の効果】
【０００７】
本考案に係る人工毛収容容器は、内蓋の上側に位置する第２内蓋部を回転させることで内蓋全体としての開口率が変化する。これにより、人工毛の吐出量を調整することができる。
【図面の簡単な説明】
【０００８】
【図１】本考案に係る人工毛収容容器の分解斜視図である。
【図２】本考案に係る人工毛収容容器の第１内蓋部を示す図である。
【図３】本考案に係る人工毛収容容器の第２内蓋部を示す図である。
【図４】本考案に係る人工毛収容容器の内蓋部を示す図である。
【図５】本考案に係る人工毛収容容器の吐出孔の配置例を示す図である。
【考案を実施するための形態】
【０００９】
本考案に係る人工毛収容容器の実施の形態について図面に基づいて説明する。図１は本考案に係る人工毛収容容器５０の概略構成を示す分解斜視図である。尚、図１においては、後述のストッパ部の構成及び、吐出量表示４６、表示窓４９等の記載は省略する。
【００１０】
図１に示す本考案に係る人工毛収容容器５０は、短繊維状の人工毛を収容する容器本体部３２と、この容器本体部３２の上端に形成された口部３０と、この口部３０に装着される内蓋部３６と、口部３０を内蓋部３６とともに覆う着脱自在なキャップ部３８と、を有している。また、内蓋部３６は、容器本体部３２に固定された第１内蓋部３６ａと、この第１内蓋部３６ａの上面に回転可能に設置された第２内蓋部３６ｂと、第１内蓋部３６ａの下方に設置され口部３０と第１内蓋部３６ａとを固定する第３内蓋部３６ｃと、を有している。尚、第１内蓋部３６ａの下面には周縁に沿って側壁部４４ａが形成され、第３内蓋部３６ｃの上面には周縁に沿って側壁部４４ｂが形成され、側壁部４４ａが側壁部４４ｂの内周面に嵌合し、側壁部４４ｂの外周面が口部３０と嵌合することによって第１内蓋部３６ａ（内蓋部３６）は容器本体部３２に固定される。そして、第１内蓋部３６ａ、第２内蓋部３６ｂの吐出面には、容器本体部３２内の人工毛を吐出する吐出孔３４ａ、３４ｂが複数穿孔されている。また、第３内蓋部３６ｃの吐出面には、容器本体部３２内の人工毛を第１内蓋部３６ａ側へ供給する吐出孔３４ｃが複数穿孔されている。尚、人工毛収容容器５０の出荷時には、人工毛の飛散防止と品質保持のため内蓋部３６はポリエチレンやポリプロピレン、紙等の封止フィルムによって閉塞される。
【００１１】
人工毛収容容器５０に収容する人工毛は、使用者の頭皮もしくは地毛に接着することで薄毛を目立たなくするものであり、レーヨンに代表される再生繊維、アセテート等のセルロース系やタンパク質系の半合成繊維、ナイロン、ビニロン、ビニリデン、ポリ塩化ビニル、ポリエステル、アクリル、ポリエチレン、ポリプロピレン、ポリウレタン、ベンゾエート、ポリクラール等の合成繊維、ガラス繊維や炭素繊維などの無機繊維、動植物系の天然繊維などを用いることができる。また、人工毛の太さは１０デニール〜６０デニール程度であり、長さは概ね０．１ｍｍ〜１ｍｍ程度である。また、人工毛は人に無害な染料にて黒、ブラウン、グレー、ブロンド、白等の人間の毛髪と同等の色に着色される。尚、人工毛は長さの異なる複数の人工毛を所定の割合で混合しても良いし、直線形の人工毛と不規則に曲がった人工毛とを所定の割合で混合しボリューム感を出すようにしても良い。
【００１２】
また、人工毛収容容器５０の容器本体部３２はガラス材料やポリエチレン、ポリスチレン等の周知の合成樹脂材料で形成され、上端に口部３０を備えている。そして、この口部３０の外周面には後述のキャップ部３８と螺合するネジ山が形成されている。尚、容器本体部３２は容易に変形しない硬質の材料を用いても良いし、ＥＶＡ、軟質ＰＥ、ポリブテン等の弾性変形可能な軟質の材料を用いても良い。
【００１３】
また、キャップ部３８は硬質の合成樹脂材料で形成され、内周面に口部３０に形成されたネジ山と螺合するネジ溝が形成されている。尚、キャップ部３８は、人工毛収容容器５０の不使用時に口部３０及び内蓋部３６を閉塞し、容器本体部３２内への異物の混入や内容物（人工毛）の飛散を防止する機能を有する。
【００１４】
尚、容器本体部３２及びキャップ部３８の形状は上記の例に限定されるわけではなく、例えば容器本体部３２の外形、及びキャップ部３８の外形を略角型としても良い。また、略円筒形の容器本体部３２を略角型の外容器に入れ、２重壁構造としても良い。さらに、容器本体部３２とキャップ部３８との取付手法はネジ式に限定されるわけではなく、例えば嵌め込み式としても良い。
【００１５】
次に、本考案の大きな特徴である第１内蓋部３６ａ、第２内蓋部３６ｂの構成を図２〜図４を用いて説明する。ここで、図２（ａ）は第１内蓋部３６ａの上面図であり、図２（ｂ）はＸ−Ｘ断面図である。また、図３（ａ）は第２内蓋部３６ｂの上面図であり、図３（ｂ）はＹ−Ｙ断面図である。また、図４（ａ）は第１内蓋部３６ａ、第２内蓋部３６ｂ、第３内蓋部３６ｃを係合した状態、即ち内蓋部３６の上面図であり、図４（ｂ）は内蓋部３６のＺ−Ｚ断面図である。
【００１６】
第１内蓋部３６ａ、第２内蓋部３６ｂ、第３内蓋部３６ｃはポリエチレン、ポリスチレン等の周知の合成樹脂材料で形成され、略円形の吐出面には前述の吐出孔３４ａ、３４ｂ、３４ｃが複数形成されている。尚、吐出孔３４ａ、３４ｂの配置や孔径、デザイン等に関しては特に限定はなく、例えば図５に示すように、如何なる形、配置としても良い。また、吐出孔３４ａ、３４ｂの配置は第１内蓋部３６ａと第２内蓋部３６ｂとで同一としても良いし、異なるものとしても良い。また、孔径も同一としても良いし、異なる径としても良い。尚、第３内蓋部３６ｃの吐出孔３４ｃの孔径は、第１内蓋部３６ａ、第２内蓋部３６ｂの吐出孔３４ａ、３４ｂよりも大きな径とすることが好ましい。
【００１７】
また、第２内蓋部３６ｂの中心には下方に延びる回転軸４２が設けられ、第１内蓋部３６ａの中心には回転軸４２が嵌入する軸受４０が形成されている。そして、第２内蓋部３６ｂの回転軸４２が第１内蓋部３６ａの軸受４０に回転可能に嵌入することで、第２内蓋部３６ｂは第１内蓋部３６ａ上で第１内蓋部３６ａの中心と同心で回転する。そして、第２内蓋部３６ｂが第１内蓋部３６ａ上で回転することで、第２内蓋部３６ｂの吐出孔３４ｂと第１内蓋部３６ａの吐出孔３４ａとの孔位置がずれ、内蓋部３６全体としての開口率が変化する。そして、この内蓋部３６の開口率の変化に伴い人工毛の吐出量が変化する。ただし、第３内蓋部３６ｃは、第１内蓋部３６ａ、第２内蓋部３６ｂ側への人工毛の供給量を均一化するものであり、第３内蓋部３６ｃの吐出孔３４ｃは内蓋部３６全体としての開口率、及び人工毛の吐出量には直接的には関与しない。
【００１８】
また、第１内蓋部３６ａ、第２内蓋部３６ｂには、内蓋部３６が所定の開口率となる位置で第２内蓋部３６ｂを保持するストッパ部が設けられている。尚、図２〜図４ではストッパ部として、第２内蓋部３６ｂの下面に係合突起４８ｂを設けるとともに、第１内蓋部３６ａの上面に複数の係合凹部４８ａ（４８ａ’、４８ａ’’）を設け、これらを係合することで第２内蓋部３６ｂを保持する例を示している。ただし、ストッパ部の構成は特にこれに限定されるわけではなく、係合突起４８ｂを第１内蓋部３６ａ側に設けても良いし、凸条とスリット等で形成しても良い。また、図２〜図４では係合凹部４８ａ（４８ａ’、４８ａ’’）を３つ並べて配置した例を示しているが、係合凹部４８ａの数、配置に限定はなく、第１内蓋部３６ａの全周に亘って配置しても良い。
【００１９】
次に、ストッパ部の係合位置に関して説明する。前述のように、内蓋部３６の開口率は第２内蓋部３６ｂの回転位置により随時変化する。ここで、例えば吐出孔３４ａ、３４ｂの孔位置が全て一致する第２内蓋部３６ｂの位置で係合突起４８ｂと係合する係合凹部４８ａを設ければ、この係合凹部４８ａとの係合時に内蓋部３６は最大の開口率で保持され、このときの人工毛の吐出量は最大となる。また、例えば内蓋部３６の開口率が最大開口率の約５０％程度となる第２内蓋部３６ｂの位置で係合する係合凹部４８ａ’を設ければ、この係合凹部４８ａ’との係合時に内蓋部３６の開口率は最大開口率の約５０％で保持され、このときの人工毛の吐出量は上記の最大の吐出量の約半分となる。また、内蓋部３６の開口率がさらに小さくなる第２内蓋部３６ｂの位置で係合する係合凹部４８ａ’’を設ければ、係合凹部４８ａ’’との係合時に内蓋部３６はさらに小さい開口率で保持され、このときの人工毛の吐出量は最少となる。このように、内蓋部３６の開口率が異なる位置に第２内蓋部３６ｂを保持するストッパ部を設けることで、内蓋部３６の開口率を段階的に変化させることができる。これにより、人工毛の吐出量を段階的に調節することができる。尚、第２内蓋部３６ｂの係止位置は何段階としても良いが、概ね２〜３段階程度とすることが好ましい。また、開口率が０％となる位置に係合凹部４８ａを設け、これにより内蓋部３６の開閉を行っても良い。
【００２０】
また、第１内蓋部３６ａの上面に係合時の開口率と対応した吐出量表示４６を印刷等により設け、第２内蓋部３６ｂにこの吐出量表示４６を露出させる表示窓４９を設けても良い。そして、ストッパ部が第２内蓋部３６ｂを保持したときに、表示窓４９をそのときの内蓋部３６の開口率、即ち人工毛収容容器５０の吐出量と対応した吐出量表示４６上に位置させ、この吐出量表示４６を表示窓４９を通して外部に露出させるようにする。この構成によれば、使用者は表示窓４９から見える吐出量表示４６を視認して、人工毛収容容器５０の吐出量を的確に把握することができる。例えば、内蓋部３６が最大開口率となる係合凹部４８ａの位置では、表示窓４９は人工毛の吐出量が最大であることを表す“３”の吐出量表示４６上に位置し、この“３”の吐出量表示４６を目視可能に露出する。また、内蓋部３６が最大開口率の約５０％となる係合凹部４８ａ’の位置では、表示窓４９は人工毛の吐出量が中程度であることを表す“２”の吐出量表示４６上に位置し、この“２”の吐出量表示４６を目視可能に露出する。また、内蓋部３６の開口率が最少となる係合凹部４８ａ’’の位置では、表示窓４９は人工毛の吐出量が最少であることを表す“１”の吐出量表示４６上に位置し、この“１”の吐出量表示４６を目視可能に露出する。尚、本例では吐出量表示４６を数字で表記した例を示しているが、特にこれに限定されるわけではなく、吐出量表示４６の表記は漢字や記号等如何なるものを用いても良い。また、表示窓４９は周端から延びた切欠きとしているが、特にこれに限定されるわけではなく、第２内蓋部３６ｂを円形や四角形にくり抜いて表示窓４９としても良い。
【００２１】
次に、人工毛収容容器５０の使用方法を説明する。先ず、使用者は人工毛収容容器５０のキャップ部３８を取り外す。次に、第２内蓋部３６ｂを回転する。第２内蓋部３６ｂが回転すると係合突起４８ｂが移動し係合凹部４８ａ（４８ａ’、４８ａ’’）と係合する。これにより、第２内蓋部３６ｂが係合位置で保持される。このとき、内蓋部３６は係合位置に応じた所定の開口率となる。また、このとき第２内蓋部３６ｂの表示窓４９は、内蓋部３６の開口率と対応した吐出量表示４６上に位置してこれを露出し、人工毛収容容器５０の吐出量を使用者に示唆する。人工毛収容容器５０の吐出量が使用者の意図するものとは異なる場合、使用者は第２内蓋部３６ｂをさらに回転する。これにより、係合突起４８ｂの係合状態が解除される。そして、係合突起４８ｂは回転移動し、次の係合凹部４８ａ（４８ａ’、４８ａ’’）と係合する。これにより、内蓋部３６の開口率は係合位置に応じて段階的に変化する。また、表示窓４９は内蓋部３６の開口率と対応した吐出量表示４６を露出する。そして、人工毛収容容器５０の吐出量が使用者の意図するものとなった場合、使用者はこの状態で人工毛収容容器５０を目的の散布位置の上方で逆さにし、上下方向に振る。これにより、容器本体部３２内の人工毛は、先ず、第３内蓋部３６ｃに当たり、その一部が吐出孔３４ｃを通って第１内蓋部３６ａ側に供給される。そして、吐出孔３４ａ、３４ｂを通って使用者の頭皮及び地毛部分に吐出される。このときの人工毛の吐出量は内蓋部３６（第１内蓋部３６ａ、第２内蓋部３６ｂ）の開口率に応じた量となる。尚、第３内蓋部３６ｃは、例えば容器本体部３２内の人工毛の残量が少ない場合でも、多量の人工毛が一気に第１内蓋部３６ａ側へ供給されることを防止する。これにより、第１内蓋部３６ａへの人工毛の供給量が略均一化され、容器本体部３２内の人工毛の量によらず、人工毛を第１内蓋部３６ａ、第２内蓋部３６ｂの開口率に応じた量で吐出することができる。
【００２２】
このようにして、薄毛部分への人工毛の散布が終了すると、使用者は人工毛の散布部分の頭皮及び地毛に糊剤をスプレー等により噴霧する。これにより、人工毛収容容器５０から吐出された人工毛は、噴霧された糊剤によって使用者の頭皮及び地毛部分に接着し、これらの部分の薄毛を目立たなくする。
【００２３】
以上のように、本考案に係る人工毛収容容器５０は、第２内蓋部３６ｂを回転し、ストッパ部が所定の開口率の位置で第２内蓋部３６ｂを保持することで、内蓋部３６の開口率を段階的に変化させることができる。これにより、人工毛の吐出量を段階的に調節することができる。そして、使用者は使用部位等に応じて人工毛収容容器５０の吐出量を適宜選択することができる。また、本考案に係る人工毛収容容器５０は、係合位置での吐出量を表示窓４９を通して表示することができる。これにより、使用者は、人工毛収容容器５０の吐出量を的確に把握することができる。
【００２４】
尚、上記に示した人工毛収容容器５０の内蓋部３６、第１内蓋部３６ａ、第２内蓋部３６ｂ、第３内蓋部３６ｃ、吐出量表示４６、表示窓４９等の各部の形状、寸法、機構等は一例であるから、上記の例に限定されるわけではない。また、吐出孔３４ａ、３４ｂの孔径、配置、デザイン等も一例であるから、上記の例に限定されるわけではない。さらに、本考案は本考案の要旨を逸脱しない範囲で変更して実施することが可能である。
【符号の説明】
【００２５】
３０    口部
３２    容器本体部
３４ａ、３４ｂ  吐出孔
３６    内蓋部
３６ａ  第１内蓋部
３６ｂ  第２内蓋部
４６    吐出量表示
４９    表示窓
５０    人工毛収容容器
【図１】
0003192439.tif 000003
【図２】
0003192439.tif 000004
【図３】
0003192439.tif 000005
【図４】
0003192439.tif 000006
【図５】
0003192439.tif 000007